【手続補正書】
【提出日】平成16年7月26日(2004.7.26)
【手続補正１】
【補正対象書類名】明細書
【補正対象項目名】特許請求の範囲
【補正方法】変更
【補正の内容】
【特許請求の範囲】
【請求項１】
空気と塵埃を吸引する吸入口を有し、前記吸引した空気と塵埃を旋回させるほぼ有底円筒状のケース本体と、前記塵埃が分離された空気を前記ケース本体から排出する排気口及びフィルタを有し前記排気口のケース本体側に設けられたほぼ円筒状の空気排出口を有し、前記ケース本体の開口部を閉塞する蓋体とからなるサイクロン集塵器を備え、
該サイクロン集塵器の蓋体に、前記吸入口から吸引された空気と塵埃の旋回方向に沿って徐々に傾斜する螺旋状の傾斜面を設けたことを特徴とする電気掃除機。
【請求項２】
前記サイクロン集塵器の蓋体に設けた傾斜面を、空気排出口の外周において吸入口の一方の側の近傍を始端とし、該吸入口の他方の側の近傍を終端として形成したことを特徴とする請求項１記載の電気掃除機。
【請求項３】
前記サイクロン集塵器の蓋体に設けた傾斜面を、外周から中心部に向って傾斜させたことを特徴とする請求項１又は２記載の電気掃除機。
【請求項４】
空気と塵埃を吸引する吸入口を有し、前記吸引した空気と塵埃を旋回させるほぼ有底円筒状のケース本体と、前記塵埃が分離された空気を前記ケース本体から排出する排気口及びフィルタを有し前記排気口のケース本体側に設けられたほぼ円筒状の空気排出口を有し、前記ケース本体の開口部を閉塞する蓋体とからなるサイクロン集塵器を備え、
該サイクロン集塵器のケース本体の内壁面の吸入口の下流側に、該吸入口と対向して吸引された空気と塵埃の旋回方向に沿って傾斜する風向板を設けたことを特徴とする電気掃除機。
【請求項５】
前記風向板に代えて、ケース本体の内壁面に、吸入口の一方側の近傍を始端とし、空気と塵埃の旋回方向に沿って傾斜する螺旋状のガイド板を設けたことを特徴とする請求項４記載の電気掃除機。
【請求項６】
風向板又はガイド板を軟質材で形成したことを特徴とする請求項４又は５記載の電気掃除機。
【請求項７】
空気と塵埃を吸引する吸入口を有し、前記吸引した空気と塵埃を旋回させるほぼ有底円筒状のケース本体と、前記塵埃が分離された空気を前記ケース本体から排出する排気口及びフィルタを有し前記排気口のケース本体側に設けられたほぼ円筒状の空気排出口を有し、前記ケース本体の開口部を閉塞する蓋体とからなるサイクロン集塵器を備え、
該サイクロン集塵器の蓋体に、空気排出口の外周に摺接するクリーニングブラシと、該クリーニングブラシを外部から摺動させる駆動手段とからなる塵埃除去装置を設けたことを特徴とする電気掃除機。
【請求項８】
空気と塵埃を吸引する吸入口を有し、前記吸引した空気と塵埃を旋回させるほぼ有底円筒状のケース本体と、前記塵埃が分離された空気を前記ケース本体から排出する排気口及びフィルタを有し前記排気口のケース本体側に設けられたほぼ円筒状の空気排出口を有し、前記ケース本体の開口部を閉塞する蓋体とからなるサイクロン集塵器を備え、
内穴に清掃材が設けられ該内穴の両側にアームが立設されたリング状のクリーニングブラシと、前記アームの先端部に回動可能に連結されるハンドルとからなる塵埃除去装置を有し、前記クリーニングブラシの内穴を前記空気排出口に挿入して前記蓋体に設けた凹部に収容すると共に、前記アームを前記蓋体に設けた貫通穴に挿通し、前記蓋体に前記アームにハンドルを連結したことを特徴とする電気掃除機。
【請求項９】
請求項１〜６のいずれかに記載のサイクロン集塵器に、請求項７又は８に記載の塵埃清掃装置を設けたことを特徴とする電気掃除機。
【手続補正２】
【補正対象書類名】明細書
【補正対象項目名】００１０
【補正方法】変更
【補正の内容】
【００１０】
【課題を解決するための手段】
（１）本発明に係る電気掃除機は、空気と塵埃を吸引する吸入口を有し、前記吸引した空気と塵埃を旋回させるほぼ有底円筒状のケース本体と、前記塵埃が分離された空気を前記ケース本体から排出する排気口及びフィルタを有し前記排気口のケース本体側に設けられたほぼ円筒状の空気排出口を有し、前記ケース本体の開口部を閉塞する蓋体とからなるサイクロン集塵器を備え、該サイクロン集塵器の蓋体に、前記吸入口から吸引された空気と塵埃の旋回方向に沿って徐々に傾斜する螺旋状の傾斜面を設けたものである。
【手続補正３】
【補正対象書類名】明細書
【補正対象項目名】００１１
【補正方法】変更
【補正の内容】
【００１１】
（２）上記（１）のサイクロン集塵器の蓋体に設けた傾斜面を、空気排出口の外周において吸入口の一方の側の近傍を始端とし、該吸入口の他方の側の近傍を終端として形成した。
（３）上記（１）又は（２）のサイクロン集塵器の蓋体に設けた傾斜面を、外周から中心部に向って傾斜させた。
【手続補正４】
【補正対象書類名】明細書
【補正対象項目名】００１２
【補正方法】変更
【補正の内容】
【００１２】
（４）本発明に係る電気掃除機は空気と塵埃を吸引する吸入口を有し、前記吸引した空気と塵埃を旋回させるほぼ有底円筒状のケース本体と、前記塵埃が分離された空気を前記ケース本体から排出する排気口及びフィルタを有し前記排気口のケース本体側に設けられたほぼ円筒状の空気排出口を有し、前記ケース本体の開口部を閉塞する蓋体とからなるサイクロン集塵器を備え、該サイクロン集塵器のケース本体の内壁面の吸入口の下流側に、該吸入口と対向して吸引された空気と塵埃の旋回方向に沿って傾斜する風向板を設けたものである。
【手続補正５】
【補正対象書類名】明細書
【補正対象項目名】００１３
【補正方法】変更
【補正の内容】
【００１３】
（５）上記（４）の風向板に代えて、ケース本体の内壁面に、吸入口の一方側の近傍を始端とし、空気と塵埃の旋回方向に沿って傾斜する螺旋状のガイド板を設けた。
（６）上記（４）又は（５）の風向板又はガイド板を軟質材で形成した。
【手続補正６】
【補正対象書類名】明細書
【補正対象項目名】００１４
【補正方法】変更
【補正の内容】
【００１４】
（７）本発明に係る電気掃除機は、空気と塵埃を吸引する吸入口を有し、前記吸引した空気と塵埃を旋回させるほぼ有底円筒状のケース本体と、前記塵埃が分離された空気を前記ケース本体から排出する排気口及びフィルタを有し前記排気口のケース本体側に設けられたほぼ円筒状の空気排出口を有し、前記ケース本体の開口部を閉塞する蓋体とからなるサイクロン集塵器を備え、該サイクロン集塵器の蓋体に、空気排出口の外周に摺接するクリーニングブラシと、該クリーニングブラシを外部から摺動させる駆動手段とからなる塵埃除去装置を設けたものである。
【手続補正７】
【補正対象書類名】明細書
【補正対象項目名】００１５
【補正方法】変更
【補正の内容】
【００１５】
（８）本発明に係る電気掃除機は、空気と塵埃を吸引する吸入口を有し、前記吸引した空気と塵埃を旋回させるほぼ有底円筒状のケース本体と、前記塵埃が分離された空気を前記ケース本体から排出する排気口及びフィルタを有し前記排気口のケース本体側に設けたほぼ円筒状の空気排出口を有し、前記ケース本体の開口部を閉塞する蓋体とからなるサイクロン集塵器を備え、内穴に清掃材が設けられ該内穴の両側にアームが立設されたリング状のクリーニングブラシと、前記アームの先端部に回動可能に連結されるハンドルとからなる塵埃除去装置を有し、前記クリーニングブラシの内穴を前記空気排出口に挿入して前記蓋体に設けた凹部に収容すると共に、前記アームを前記蓋体に設けた貫通穴に挿通し、前記蓋体に前記アームにハンドルを連結したものである。
【手続補正８】
【補正対象書類名】明細書
【補正対象項目名】００４０
【補正方法】変更
【補正の内容】
【００４０】
上記の各実施の形態においては、本発明に係るサイクロン集塵器１を電気掃除機の集塵室に縦方向に収容する場合を示したが、集塵室の構造によっては、必要に応じて一部を変更することにより横向きに収容するようにしてもよい。
【手続補正９】
【補正対象書類名】明細書
【補正対象項目名】００４２
【補正方法】変更
【補正の内容】
【００４２】
請求項１に係る発明は、サイクロン集塵器の蓋体に、吸入口から吸引された空気と塵埃の旋回方向に沿って徐々に傾斜する螺旋状の傾斜面を設け、ケース本体内を旋回する空気と塵埃に下方に向う力を付与するようにしたので、比較的重力の影響を受けにくい毛髪等の軽い塵埃もケース本体の下部に落下して堆積するため空気排出口に付着堆積することがなく、フィルタが目詰りすることがないので長期にわたって正常な機能を発揮することができる。
【手続補正１０】
【補正対象書類名】明細書
【補正対象項目名】００４４
【補正方法】変更
【補正の内容】
【００４４】
請求項３に係る発明は、サイクロン集塵器の蓋体に設けた傾斜面を、外周から中心部に向って傾斜させ、ケース本体内を旋回する空気と塵埃に周壁方向に向う斜め下方に向う力を付与するようにしたので、空気と塵埃の分離が促進され、毛髪等や塵埃はケース本体の周壁に沿って落下し、堆積する。
【手続補正１１】
【補正対象書類名】明細書
【補正対象項目名】００４５
【補正方法】変更
【補正の内容】
【００４５】
請求項４に係る発明は、サイクロン集塵器のケース本体の内壁面の吸入口の下流側に、この吸入口と対向して吸引された空気と塵埃の旋回方向に沿って傾斜する風向板を設け、吸引された空気と塵埃の進路を斜め下方に変更するようにしたので、空気と塵埃の分離が促進され、毛髪等や塵埃はケース本体の内壁に沿って落下し、堆積する。
【手続補正１２】
【補正対象書類名】明細書
【補正対象項目名】００４６
【補正方法】変更
【補正の内容】
【００４６】
請求項５に係る発明は、請求項４の風向板に代えて、ケース本体の内壁面に、吸入口の一方側の近傍を始端とし、空気と塵埃の旋回方向に沿って傾斜する螺旋状のガイド板を設け、吸引された空気と塵埃がガイド板によって進路が変更され、ガイド板に沿って旋回運動を行うようにしたので、毛髪等や塵埃はケース本体の内壁に沿って下方に向い、空気と分離して堆積する。
【手続補正１３】
【補正対象書類名】明細書
【補正対象項目名】００４８
【補正方法】変更
【補正の内容】
【００４８】
請求項７に係る発明は、サイクロン集塵器の蓋体に、空気排出口の外周に摺接するクリーニングブラシと、このクリーニングブラシを外部から摺動させる駆動手段とからなる塵埃除去装置を設け、空気排出口に付着した毛髪等の塵埃を除去するようにしたので、長期にわたって正常な機能を発揮することができる。
【手続補正１４】
【補正対象書類名】明細書
【補正対象項目名】００４９
【補正方法】変更
【補正の内容】
【００４９】
請求項８に係る発明は、内穴に清掃材が設けられこの内穴の両側にアームが立設されたリング状のクリーニングブラシと、アームの先端部に回動可能に連結されるハンドルとからなる塵埃除去装置を有し、クリーニングブラシの内穴を空気排出口に挿入して蓋体に設けた凹部に収容すると共に、アームを蓋体に設けた貫通穴に挿通し、蓋体のにアームにハンドルを連結し、外部からの操作により空気排出口に付着した毛髪等の塵埃を除去するようにしたので、簡単な装置で長期にわたり正常な機能を発揮することができる。